(57)【要約】      （修正有）【課題】ICメモリにより各種商品を管理するシステムにおいて、ICメモリ毎に付与された、商品の取扱業者だけが知り得るパスワードを購入者にも安全に伝達できるようにする。【解決手段】決済端末５は、読み込んだ情報中から商品コードを、RFIDタグ１が付与された商品に係わるパスワードの送信要求と共に、パスワード管理サーバ１１へ送信する。パスワードが送信されてくると、ユーザが商品１５の購入代金を、現金決済にて行おうとする場合には、パスワードをレシートに印刷する。所謂電子決済にて行おうとする場合には、パスワードを、決済用R/W７を通じて決済用ICカードへと無線送信する。【選択図】図１
2009157803.tif 000002
【特許請求の範囲】
【請求項１】
情報送／受信機能と情報処理機能とを有し、個々の商品別に取付けられたICメモリと、前記ICメモリとの間で無線通信により情報の授受を行うICメモリ読取／書込装置と、前記ICメモリ読取／書込装置との間で情報通信を行う決済処理装置と、を備え、
前記ICメモリが、取付けられた商品に係わる識別情報を記憶すると共に、該ICメモリに係わる所定のパスワード情報を、読取不可とするためのロックが掛けられた状態で記憶しており、
前記ICメモリ読取／書込装置が、前記ICメモリとの間で交信可能な状態となった場合に、前記ICメモリに記憶されている前記商品に係わる識別情報を読み取って前記決済処理装置へ送信し、
前記決済処理装置が、前記ICメモリ読取／書込装置から前記商品に係わる識別情報が送信された場合に、前記商品を購入したユーザが前記商品の購入代金の決済を行おうとしたときには、前記商品に係わる識別情報に基づき、前記読取不可とするためのロックが掛けられているパスワードと同一のパスワードを、前記ユーザに提供するようにした情報処理システム。
【請求項２】
請求項１記載の情報処理システムにおいて、
購入した商品の代金決済を、電子決済で行うのに必要なICカードであって、情報送／受信機能と情報処理機能とを有すると共に、電子決済による決済履歴情報を記憶するICカードと、前記決済処理装置に、専用の通信線路を通じて接続されていると共に、前記ICカードとの間で無線通信により情報の授受を行うICカード読取／書込装置と、を更に備え、
前記決済処理装置が、前記ICカード読取／書込装置からの通知に基づき、前記商品を購入したユーザが購入代金の決済を電子決済により行うものと判断した場合には、前記パスワードを含む電子情報を、前記ICカード読取／書込装置を通じて前記ICカードへ送信するようにした情報処理システム。
【請求項３】
請求項２記載の情報処理システムにおいて、
前記決済処理装置が、前記商品を購入したユーザが購入代金の決済を現金決済で行うものと判断した場合に、前記パスワードを含む電子情報を、ハードコピーにより前記ユーザに提供するようにした情報処理システム。
【請求項４】
請求項２記載の情報処理システムにおいて、
前記決済処理装置から前記ICカードに電子情報として送信された前記パスワードが、携帯通信端末を介してユーザに認識されるようにした情報処理システム。
【請求項５】
請求項１記載の情報処理システムにおいて、
前記パスワードが、パスワード管理装置により管理されている情報処理システム。
【請求項６】
請求項１記載の情報処理システムにおいて、
前記ICメモリ読取／書込装置が、前記決済処理装置から前記所定のパスワード情報を消去すべき旨の通知を受信した場合には、前記所定のパスワード情報を、前記ICメモリから消去するための処理を実行するようにした情報処理システム。
【請求項７】
情報送／受信機能と情報処理機能とを有し、個々の商品別に取付けられたICメモリと、前記ICメモリとの間で無線通信により情報の授受を行うICメモリ読取／書込装置と、前記ICメモリ読取／書込装置との間で情報通信を行う決済処理装置と、を備え、
前記ICメモリに、前記ICメモリが取付けられた商品に係わる識別情報を記憶させると共に、該ICメモリに係わる所定のパスワード情報を、読取不可とするためのロックが掛けられた状態で記憶させる第１のステップと、
前記ICメモリ読取／書込装置が、前記ICメモリとの間で交信可能な状態となった場合に、前記ICメモリに記憶されている前記商品に係わる識別情報を読み取って前記決済処理装置へ送信する第２のステップと、
前記決済処理装置が、前記ICメモリ読取／書込装置から前記商品に係わる識別情報が送信された場合に、前記商品を購入したユーザが前記商品の購入代金の決済を行おうとしたときには、前記商品に係わる識別情報に基づき、前記読取不可とするためのロックが掛けられているパスワードと同一のパスワードを、前記ユーザに提供する第３のステップと、
を有する情報処理システムにおけるパスワードの提供方法。
【発明の詳細な説明】
【技術分野】
【０００１】
本発明は、情報送／受信機能と情報処理機能とを有し、個々の商品別に取付けられたICメモリと、前記ICメモリとの間で無線通信により情報の授受を行うICメモリ読取／書込装置と、前記ICメモリ読取／書込装置との間で情報通信を行う決済処理装置と、を備える情報処理システム、及び該情報処理システムにおけるパスワードの提供方法に関する。
【背景技術】
【０００２】
従来、商品情報管理システム、商品情報管理方法、及び上記システム、上記方法において用いられるRFIDタグにおいて、それらの安全性の向上を図ることと、上記RFIDタグ内のデータを隠蔽することとを目的とした提案がなされている。該提案では、或るRFIDタグ内のデータを、別のRFIDタグ内のデータを用いて暗号化することにより隠蔽するもので、隠蔽された上記データは、上記別のRFIDタグ内のデータのみにより復号化されるようになっている（例えば特許文献１参照）。
【０００３】
【特許文献１】特開2005-92625号公報参照
【発明の開示】
【発明が解決しようとする課題】
【０００４】
ところで、上記方法により暗号化されたデータを格納するRFIDタグを商品（個品）に取付ければ、仮に不正行為を行おうとする第三者が、RFIDタグリーダ／ライタを用いて上記データを読み取ったとしても、それだけでは上記暗号化されたままのデータを解読することができないので、安全性は高いと言える。よって、例えば、上記RFIDタグが取付けられた商品（個品）が、正規の流通過程から不正に流出した場合でも、上記RFIDタグ内のデータが暗号化されたままであるから、上記商品（個品）が正規の流通過程から逸脱したものであることが、容易に判別され得る。
【０００５】
しかし、上述した技術では、RFIDタグに格納されているデータのうちの、上記商品（個品）の取扱業者しか知り得ない該RFIDタグに係る（アクセス）パスワードを、上記商品（個品）を購入したユーザが利用することを望んだ場合に、該ユーザだけに安全に知らせることができないという問題があった。
【０００６】
従って本発明の目的は、各種商品毎に取付けられたICメモリとの間で情報通信を行うことにより、上記各種商品を管理する情報処理システムにおいて、上記ICメモリ毎に付与された、該商品の取扱業者だけが知り得るように設定されているパスワードを、該商品の購入者に対しても安全に伝達できるようにすることにある。
【課題を解決するための手段】
【０００７】
本発明の第１の観点に従う情報処理システムは、情報送／受信機能と情報処理機能とを有し、個々の商品別に取付けられたICメモリと、上記ICメモリとの間で無線通信により情報の授受を行うICメモリ読取／書込装置と、上記ICメモリ読取／書込装置との間で情報通信を行う決済処理装置と、を備え、上記ICメモリが、取付けられた商品に係わる識別情報を記憶すると共に、そのICメモリに係わる所定のパスワード情報を、読取不可とするためのロックが掛けられた状態で記憶しており、上記ICメモリ読取／書込装置が、上記ICメモリとの間で交信可能な状態となった場合に、上記ICメモリに記憶されている上記商品に係わる識別情報を読み取って上記決済処理装置へ送信し、上記決済処理装置が、上記ICメモリ読取／書込装置から上記商品に係わる識別情報が送信された場合に、上記商品を購入したユーザが上記商品の購入代金の決済を行おうとしたときには、上記商品に係わる識別情報に基づき、上記読取不可とするためのロックが掛けられているパスワードと同一のパスワードを、上記ユーザに提供するようにしている。
【０００８】
本発明の第１の観点に係る好適な実施形態では、購入した商品の代金決済を、電子決済で行うのに必要なICカードであって、情報送／受信機能と情報処理機能とを有すると共に、電子決済による決済履歴情報を記憶するICカードと、上記決済処理装置に、専用の通信線路を通じて接続されていると共に、上記ICカードとの間で無線通信により情報の授受を行うICカード読取／書込装置と、を更に備え、上記決済処理装置が、上記ICカード読取／書込装置からの通知に基づき、上記商品を購入したユーザが購入代金の決済を電子決済により行うものと判断した場合には、上記パスワードを含む電子情報を、上記ICカード読取／書込装置を通じて上記ICカードへ送信するようにしている。
【０００９】
上記とは別の実施形態では、上記決済処理装置が、上記商品を購入したユーザが購入代金の決済を現金決済で行うものと判断した場合に、上記パスワードを含む電子情報を、ハードコピーにより上記ユーザに提供するようにしている。
【００１０】
また、上記とは別の実施形態では、上記決済処理装置から上記ICカードに電子情報として送信された上記パスワードが、上記ICカードを挿／脱自在な携帯通信端末を介してユーザに認識されるようにしている。
【００１１】
また、上記とは別の実施形態では、上記パスワードが、パスワード管理装置により管理されている。
【００１２】
更に、上記とは別の実施形態では、上記ICメモリ読取／書込装置が、上記決済処理装置から上記所定のパスワード情報を消去すべき旨の通知を受信した場合には、上記所定のパスワード情報を、上記ICメモリから消去するための処理を実行するようにしている。
【００１３】
本発明の第２の観点に従う情報処理システムにおけるパスワードの提供方法は、情報送／受信機能と情報処理機能とを有し、個々の商品別に取付けられたICメモリと、上記ICメモリとの間で無線通信により情報の授受を行うICメモリ読取／書込装置と、上記ICメモリ読取／書込装置との間で情報通信を行う決済処理装置と、を備え、上記ICメモリに、上記ICメモリが取付けられた商品に係わる識別情報を記憶させると共に、そのICメモリに係わる所定のパスワード情報を、読取不可とするためのロックが掛けられた状態で記憶させる第１のステップと、上記ICメモリ読取／書込装置が、上記ICメモリとの間で交信可能な状態となった場合に、上記ICメモリに記憶されている上記商品に係わる識別情報を読み取って上記決済処理装置へ送信する第２のステップと、上記決済処理装置が、上記ICメモリ読取／書込装置から上記商品に係わる識別情報が送信された場合に、上記商品を購入したユーザが上記商品の購入代金の決済を行おうとしたときには、上記商品に係わる識別情報に基づき、上記読取不可とするためのロックが掛けられているパスワードと同一のパスワードを、上記ユーザに提供する第３のステップと、を有する。
【発明の効果】
【００１４】
本発明によれば、各種商品毎に取付けられたICメモリとの間で情報通信を行うことにより、上記各種商品を管理する情報処理システムにおいて、上記ICメモリ毎に付与された、該商品の取扱業者だけが知り得るように設定されているパスワードを、該商品の購入者に対しても安全に伝達できるようにすることができる。
【発明を実施するための最良の形態】
【００１５】
以下、本発明の実施の形態を、図面により詳細に説明する。
【００１６】
図１は、本発明の一実施形態に係る情報処理システムの全体構成を示す説明図である。
【００１７】
上記情報処理システムは、図１に示すように、RFIDタグ１と、RFID用リ−ダ／ライタ（以下、「RFID用R/W」と表記する。）３と、決済端末５と、決済用リーダ／ライタ（以下、「決済用R/W」と表記する。）７と、携帯電話機端末９と、パスワード管理サーバ１１と、を含む。携帯電話機端末９には、決済用ICカード（図４において、符号４５で示す。）が挿入される。上記情報処理システムでは、決済端末５とパスワード管理サーバ１１との間が、例えば、インターネット等の外部通信ネットワーク１３により、RFID用R/W３と決済端末５との間が、専用通信回線１７により、決済端末５と決済用R/W７との間が、別の専用通信回線１９により、夫々接続されるものとする。
【００１８】
RFIDタグ１は、生産者から種々の流通業者の手を経て最終的にはユーザの手に渡る大量の製品（個品）の各々に夫々貼付されて用いられるものであるから、多数の個品の各々に貼付された状態で大量に流通過程に出廻っているのが実状である。しかし、図１では、図示と説明の都合上、RFIDタグについては、符号１で示したもののみを、また、RFIDタグが貼付される個品については、RFIDタグ１が貼付された個品である個品１５のみを、夫々記載することとした。
【００１９】
RFID用R/W３、決済端末５、決済用R/W７、及び携帯電話機端末９についても、上述したRFIDタグ１、及び個品１５におけると同様に、実際には上記情報処理システム中に多数含まれている。しかし、これらについても、図示と説明の都合上、RFID用R/Wについては、符号３で示したもののみを、決済端末については、符号５で示したもののみを、決済用R/Wについては、符号７で示したもののみを、携帯電話機端末については、符号９で示したもののみを、夫々記載することとした。
【００２０】
RFID用R/W３は、RFIDタグ１との間で無線通信により情報の授受を行う外部通信装置としての機能を有するもので、RFID用R/W本体と、該RFID用R/W本体外部の適宜な箇所に取付けられるアンテナと、を備える。RFID用R/W３は、例えば、上記RFIDタグ１を貼付された個品（商品）１５がユーザに携行された状態で移動することで、該RFID用R/W３に、通信可能な距離に位置する上記RFIDタグ１に対し、アンテナを通じて（UHF帯域の）電波を送信する。上記（UHF帯域の）電波には、例えば、RFIDタグ１に格納されている各種情報の送信要求が含まれている。RFID用R/W３は、また、上記RFIDタグ１から送信される電波（例えば、UHF帯域の電波）を、アンテナを通じて受信する。上記（UHF帯域の）電波には、上記RFIDタグ１に格納されている各種情報が含まれている。
RFID用R/W３は、また、上記RFIDタグ１から受信した上記各種の情報を、専用通信回線１７を通じて決済端末５へ送信する。RFID用R/W３の内部構成については、後に詳述する。
【００２１】
RFIDタグ１は、RFIDタグ本体と、該RFIDタグ本体外部の適宜な箇所に取付けられるアンテナと、を備える。RFIDタグ１は、例えば、該RFIDタグ１が貼付された個品（商品）１５を、ユーザが携行して移動することで、該RFIDタグ１に対し、通信可能な距離に位置するRFID用R/W３から送信される電波（例えば、UHF帯域の電波）を、アンテナを通じて受信する。RFID用R/W３からRFIDタグ１に対して送信される電波には、例えば、RFIDタグ１に格納されている各種情報（例えば、USER、TID、ID、RESERVED等）の送信要求が含まれている。本実施形態では、RESERVEDに係わる情報、即ち、該RFIDタグ１に係わる（アクセス）パスワードについては、読み込み不可にするためのロックが掛けられているので、上記RESERVEDに係わる情報については、RFID用R/W３へは転送されることはない。上記アンテナが上記電波を受信することに起因する電磁誘導によって生じた電力が、RFIDタグ本体の駆動電力となる。即ち、RFIDタグ１は、上記送信要求が含まれている電波を受信することにより起動して、RESERVEDに係わる情報を除く、上述したUSER、TID、及びID等の情報を、上記RFID用R/W３に対し、アンテナを通じて無線送信する。RFIDタグ１の内部構成については、後に詳述する。
【００２２】
本実施形態に係る情報処理システムでは、携帯電話機端末９は、主として、該携帯電話機端末９に挿入される決済用ICカード（図４において、符号４５で示す。）に対し、駆動電力を供給する手段として機能する。更に、上記携帯電話機端末９は、挿入された決済用ICカード（図４において、符号４５で示す。）との間で交信を行うことにより、該決済用ICカードが保持する各種情報、例えば、上述したRFIDタグ１に係わる（アクセス）パスワードを取得する。該（アクセス）パスワードは、以下に説明するように、決済用R/W７、専用通信回線１９、決済端末５、及び通信ネットワーク１３を通じてパスワード管理サーバ１１から送信される情報である。携帯電話機端末９を所持するユーザは、該携帯電話機端末９を通じて、パスワード管理サーバ１１により管理されている、上記RFIDタグ１に係る（アクセス）パスワードを把握することが可能になる。携帯電話機端末９、及び決済用ICカード（図４において、符号４５で示す。）の内部構成については、夫々後に詳述する。
【００２３】
決済用R/W７は、携帯電話機端末９に挿入された決済用ICカード（図４において、符号４５で示す。）との間で無線通信により情報の授受を行う外部通信装置としての機能を有するもので、決済用R/W本体と、該決済用R/W本体外部の適宜な箇所に取付けられるアンテナと、を備える。決済用R/W７は、専用通信回線１９、決済端末５、及び通信ネットワーク１３を通じてパスワード管理サーバ１１から送信される上記個品（商品）１５に貼付されたRFIDタグ１に係る（アクセス）パスワードを受信する。
【００２４】
決済用R/W７は、携帯電話機端末９に挿入された決済用ICカード（図４において、符号４５で示す。）からの情報送信要求を含んだ電波（例えば、Felica（株式会社ソニーの登録商標。以下同じ）などに代表される13.56MHzや、UHF帯域の電波）を、アンテナを通じて受信すると、専用通信回線１９を通じて決済端末５に対し、上記決済用ICカードから上記送信要求があった旨を通知する。これと共に、決済用R/W７は、該送信要求に応じた情報を含む電波（例えば、13.56MHzや、UHF帯域の電波）を、アンテナを通じて決済用ICカードへと送信する。上記決済用ICカードからの送信要求が、上記（アクセス）パスワードに係るものであれば、決済用R/W７は、上記（アクセス）パスワードを、上記決済用ICカードへ無線送信することになる。決済用R/W７の内部構成についても、後に詳述する。
【００２５】
パスワード管理サーバ１１は、例えば、各種の店舗等、流通過程に置かれる種々の商品（個品）の夫々を識別するために、夫々の商品（個品）別に予め付与されている商品コード（即ち、ID）（以下、「商品（個品）のIDコード」と表記することもある。）を、内蔵するメモリ（図示しない）等に記憶する。パスワード管理サーバ１１は、また、上記夫々の商品（個品）別に予め付与されている（アクセス）パスワードをも、上記メモリ（図示しない）等に記憶する。
【００２６】
上述した多数の商品のIDコードと、多数の（アクセス）パスワードとは、個別に対応付けられた状態で、上記メモリ（図示しない）等に記憶されているものとする。パスワード管理サーバ１１は、通信ネットワーク１３を通じて決済端末５より、特定の商品（個品）のIDコード、即ち、以下に記載する商品コード（ID）と共に（アクセス）パスワードの送信要求が送信されると、該送信要求を受け付ける。そして、上記商品（個品）のIDコードに対応する（アクセス）パスワードを、上記メモリ（図示しない）から読み出すと共に、該読み出した（アクセス）パスワードを、通信ネットワーク１３を通じて決済端末５に送信する。
【００２７】
決済端末５には、例えばパーソナル・コンピュータ（パソコン端末）のような情報処理機器（所謂POS端末）が、ハードウェア（マシン）として用いられる。決済端末５は、専用通信回線１７を通じてRFID用R/W３から送信される、RFID用R/W３がRFIDタグ１から読み出した各種の情報を読み込む。該各種の情報としては、例えば、商品情報や企業情報等のUSER情報、該RFIDタグ１の製造コードを示すTID情報、例えば、IDのようなRFIDタグ１が付与される商品コード等が挙げられる。
【００２８】
決済端末５は、上記読み込んだ各種の情報中から商品コード（ID）を、上記RFIDタグ１が付与された商品（個品）に係わる（アクセス）パスワードの送信要求と共に、通信ネットワーク１３を通じてパスワード管理サーバ１１へ送信する。この送信に応じて、上記（アクセス）パスワードが通信ネットワーク１３を通じてパスワード管理サーバ１１から送信されてくると、決済端末５は、上記（アクセス）パスワードを受信する。そして、ユーザが上記RFIDタグ１が付与された商品（個品）１５の購入代金を、現金決済にて行おうとする場合には、上記（アクセス）パスワードをレシートに印刷してユーザに提供する。一方、ユーザが上記RFIDタグ１が付与された商品（個品）１５の購入代金を、所謂電子決済にて行おうとする場合には、決済端末５は、上記（アクセス）パスワードを、専用通信回線１９、及び決済用R/W７を通じて携帯電話機端末９に挿入された決済用ICカードへと無線送信することになる。
【００２９】
図２は、図１に記載の情報処理システムに含まれるRFIDタグ１が備える内部構成を示す機能ブロック図である。
【００３０】
RFIDタグ１は、図２に示すように、アンテナ２１と、整流部２３と、電源部２５と、通信制御部２７と、記憶部２９と、制御部３１と、を備える。アンテナ２１は、外部通信装置であるRFID用R/W３から送信される（UHF帯域の）電波を受信して通信制御部２７に出力すると共に、通信制御部２７から出力される（UHF帯域の）電波を、RFID用R/W３へと送信する。既述のように、上記RFID用R/W３からRFIDタグ１へ送信される（UHF帯域の）電波には、例えば、RFIDタグ１に格納されている各種情報の送信要求が含まれる。また、RFIDタグ１からRFID用R/W３へ送信される（UHF帯域の）電波には、上記情報送信要求に対応する情報、即ち、例えば、既述のUSER、TID、及びID等の情報が含まれる。
【００３１】
本実施形態では、通信制御部２７は、RF（Radio Frequency）部としての機能を果たす。即ち、通信制御部２７は、制御部３１の管理下で、被変調波である、アンテナ２１からの上記（UHF帯域の）電波を復調することにより、該電波から変調信号を取出し、制御部３１に出力する。通信制御部２７は、制御部３１の管理下で、制御部３１から出力される各種情報を示す信号で（UHF帯域の）搬送波を変調し、該変調により生成した（UHF帯域の）電波を、アンテナ２１を通じてRFID用R/W３へと送信する。
【００３２】
整流部２３は、アンテナ２１から入力される上記（UHF帯域の）電波に起因する電磁誘導によって生じた交流電力を、整流して電源部２５に出力する。電源部２５は、整流部２３からの出力電力を、RFIDタグ１の各部に安定化された駆動電力として供給するため、例えば平滑化等の信号処理を施すことにより、所定の電圧に調整された直流電力を生成する。
【００３３】
記憶部２９は、制御部３１の管理下で、制御部３１によって書き込まれた、例えばIDデータやユーザが任意に作成したデータ等の各種データを記憶する。記憶部２９は、また、制御部３１の管理下で、制御部３１からのデータ読出し要求に応じて、対応するデータを制御部３１に出力する。記憶部２９に記憶されるデータとしては、既述の内容から明らかなように、USER、TID、ID、及びRESERVED等が挙げられる。USERとは、該RFIDタグ１が貼付される商品（個品）１５に係わる商品情報や、企業情報などの任意情報のことであり、TIDとは、該RFIDタグ１の製造コードのことであり、IDとは、上記商品（個品）１５に係わる商品コードのことであり、RESERVEDとは、該RFIDタグ１に係わる（アクセス）パスワードのことである。RESERVEDについては、既述のように、読み込み不可にするためのロックが掛けられている。
【００３４】
本実施形態では、制御部３１は、RFIDプロトコル管理部としての機能を果す。即ち、制御部３１は、所定のプロトコルの処理を実行する。制御部３１は、通信制御部２７から出力される（RFID用R/W３からの）変調信号が表すコマンド、データ等を記憶部２９に書き込む。制御部３１は、また、記憶部２９に記憶されているデータ等を読み出すと共に、該読み出したデータ等をRFID用R/W３へ送信すべく、通信制御部２７に出力する。制御部３１は、上述したように、通信制御部２７や、記憶部２９をその管理下に置くことにより、RFIDタグ１の内部状態を管理する。なお、RFIDタグ１の内部状態の管理には、状態管理フラグを用いた論理的な管理方法での、記憶部２９の書換え可否等のロック状態の管理が含まれる。
【００３５】
図３は、図２に記載のRFIDタグ１の記憶部２９が有する記憶領域の構成、及び各々の記憶領域に記憶される情報の一例を示す説明図である。
【００３６】
上記記憶部２９の記憶領域は、図３に示すように、夫々所定量の記憶容量を有する第１の領域２９a、第２の領域２９b、第３の領域２９c、及び第４の領域２９dに区分されている。そして、第１の領域２９aには、USER情報が、第２の領域２９bには、TID情報が、第３の領域２９cには、ID情報が、第４の領域２９dには、RESERVED情報が、夫々格納されている。USER情報とは、上述したように、該RFIDタグ１が貼付される商品（個品）１５に係わる商品情報や、企業情報などの任意情報のことであり、TID情報とは、上述したように、該RFIDタグ１の製造コードのことである。また、ID情報とは、上述したように、上記商品（個品）１５に係わる商品コードのことであり、RESERVED情報とは、上述したように、該RFIDタグ１に係わる（アクセス）パスワードのことである。
【００３７】
本実施形態では、上述したように、RESERVEDについては、読み込み不可にするためのロックが掛けられている。そのため、RFID用R/W３からRFIDタグ１に対し、RFIDタグ１に格納されている各種情報の送信要求があった場合でも、RESERVEDだけは、RFIDタグ１からRFID用R/W３には送信されることはない。
【００３８】
図４は、図３に記載のUSER情報に含まれる商品情報の一例を示す説明図である。
【００３９】
図４に示す例では、RFIDタグ１が貼付される個品１５が、書店等に陳列されている書籍であり、個品１５である書籍に貼付されるRFIDタグ１が格納する商品情報は、該書籍に係わる情報であるものとする。RFIDタグ１に格納されている商品情報は、種別コード欄１０３、著者コード欄１０５、価格欄１０７、出版社コード欄１０９、発売日欄１１１、及び該書籍が第○版であることを示す欄１１３に夫々記録されている情報で構成される。図４に示す例では、RFIDタグ１が貼付されている書籍の種別コードは、“0003”でこれは該書籍が漫画本であることを示している。また、上記書籍の著者コードは、特定の著者である○○を示す“2210”であり、価格は“500円”であり、出版社コードは、特定の出版社である△△出版を示す“1010”であり、発売日は、2007年8月8日であり、第3版であることが夫々示されている。
【００４０】
上述した商品情報が、例えば、以下に説明する図５で示したRFID用R/W３によって読み取られる。
【００４１】
図５は、図１に記載の情報処理システムに含まれるRFID用R/W３が備える内部構成を示す機能ブロック図である。
【００４２】
RFID用R/W３は、図５に示すように、RFID用R/Wアンテナ（以下、「アンテナ」と略記する。）３３と、送／受信部３５と、電源部３７と、通信制御部３９と、決済端末用インタフェース４１と、制御部４３と、を備える。アンテナ３３は、RFIDタグ１から送信される電波（例えばUHF帯域の電波）を受信して送／受信部３５に出力すると共に、送／受信部３５から出力される（UHF帯域の）電波をRFIDタグ１へと送信する。RFIDタグ１から送信される電波（例えばUHF帯域の電波）には、例えば、既述のUSER、TID、ID等の情報が含まれる。一方、RFID用R/W３から送信される電波（例えばUHF帯域の電波）には、既述のように、例えば、RFIDタグ１に格納されている各種情報の送信要求が含まれている。
【００４３】
送／受信部３５は、制御部４３の管理下で、被変調波である、アンテナ３３からの上記（UHF帯域の）電波を受けて、通信制御部３９へ出力する。送／受信部３５は、また、制御部４３の管理下で、通信制御部３９から出力される、通信制御部３９において生成された（UHF帯域の）電波を受けて、アンテナ３３を通じてRFIDタグ１へと送信する。
【００４４】
電源部３７は、所謂安定化電源としての機能を有する。即ち、電源部３７は、商用電源からの出力電力を、RFID用R/W３の各部に安定化された駆動電力として供給するため、例えば平滑化等の信号処理を施すことにより、所定の電圧に調整された直流電力を生成する。
【００４５】
本実施形態では、通信制御部３９は、制御部４３の管理下で、被変調波である、アンテナ３３からの上記（UHF帯域の）電波を、送／受信部３５を通じて入力する。そして、上記（UHF帯域の）電波を、復調することにより、該電波から変調信号（各種情報を表す信号）を取出し、制御部４３に出力する。通信制御部３９は、また、制御部４３の管理下で、制御部４３から出力される各種情報を表す信号で（UHF帯域の）搬送波を変調し、該変調により生成した（UHF帯域の）電波を、送／受信部３５、及びアンテナ３３を通じてRFIDタグ１へと送信する。
【００４６】
決済端末用インタフェース４１は、制御部４３の管理下で、RFID用R/W３を外部管理装置であるホストコンピュータ、即ち、決済端末５と連携して動作させるために必要な、該決済端末５との通信インタフェースとして機能する。
【００４７】
本実施形態では、制御部４３は、RFIDプロトコル処理部としての機能を果す。即ち、制御部４３は、所定のプロトコルの処理を実行する。制御部４３は、通信制御部３９から出力される（RFIDタグ１からの）変調信号が表すコマンド、データ等を、例えば該制御部４３が内蔵する記憶部等（図示しない）に書き込む。上記データには、既述のUSER、TID、ID等の情報が含まれる。制御部４３は、また、上記記憶部等（図示しない）に記憶されているデータ等を読み出すと共に、該読み出したデータ等をRFIDタグ１へ送信すべく、通信制御部３９に出力する。制御部４３は、上述したように、通信制御部３９や、決済端末用インタフェース４１をその管理下に置くことにより、RFID用R/W３の内部状態を管理する。
【００４８】
なお、制御部４３に、上記機能に加えて、更に、共通鍵や公開鍵等を用いることによる暗号の演算処理機能や、署名の演算処理機能や、ハッシュ関数の実施等の機能を持たせるようにしても良い。本実施形態では、RFIDタグ１側の制御部２５には上記諸機能は備えられていない。
【００４９】
図６は、主として図１に記載の情報処理システムに含まれる携帯電話機端末９に挿入されることにより用いられる決済用ICカードの内部構成を示す機能ブロック図である。
【００５０】
図６に示すように、決済用ICカード４５は、決済用ICカード用アンテナ（以下、「アンテナ」と略記する。）４７と、整流部４９と、電源部５１と、通信制御部５３と、携帯電話機端末用インタフェース５５と、記憶部５７と、制御部５９と、を備える。アンテナ４７は、決済用ICカード４５との間で交信が可能な外部通信装置（例えば、図１に記載した決済用R/W７等）から送信される電波（例えば、13.56MHzや、UHF帯域の電波）を受信して通信制御部５３に出力すると共に、通信制御部５３から出力される（13.56MHzや、UHF帯域の）電波を上記外部通信装置へと送信する。アンテナ４７が、外部通信装置である決済用R/W７から受信する電波には、例えば、上記RFIDタグ１に係る（アクセス）パスワードが含まれる。また、アンテナ４７から外部通信装置である決済用R/W７へ送信される電波には、例えば、ユーザが過去に該決済用ICカード４５を用いて行った所謂電子決済に係わる履歴情報や、或いは、決済用R/W７に対する上記RFIDタグ１に係る（アクセス）パスワードの送信要求等が含まれる。
【００５１】
整流部４９は、アンテナ４７から入力される上記（13.56MHzや、UHF帯域の）電波に起因する電磁誘導によって生じた交流電力を、整流して電源部５１に出力する。電源部５１は、決済用ICカード４５が、例えば携帯電話機端末９等に挿入されていない場合に、整流部４９からの出力電力を、決済用ICカード４５の各部に安定化された駆動電力として供給するため、例えば平滑化等の信号処理を施すことにより、所定の電圧に調整された直流電力を生成する。一方、電源部５１は、決済用ICカード４５が、携帯電話機端末９等に挿入されている場合には、携帯電話機端末用インタフェース５５を通じて携帯電話機端末９側から供給される直流電力を蓄積し、該蓄積した直流電力を駆動電力として決済用ICカード４５の各部に供給するように構成されている。
【００５２】
本実施形態では、通信制御部５３は、制御部５９の管理下で、被変調波である、アンテナ４７からの上記（13.56MHzや、UHF帯域の）電波を入力する。そして、上記（13.56MHzや、UHF帯域の）電波を、復調することにより、該電波から変調信号（各種情報を表す信号）を取出し、制御部５９に出力する。通信制御部５３は、また、制御部５９の管理下で、制御部５９から出力される各種情報を表す信号で（13.56MHzや、UHF帯域の）搬送波を変調し、該変調により生成した（13.56MHzや、UHF帯域の）電波を、アンテナ４７を通じて上述した外部通信装置（例えば、図１に記載した決済用R/W７等）へと送信する。
【００５３】
携帯電話機端末用インタフェース５５は、決済用ICカード４５が、携帯電話機端末９に挿入されることにより携帯電話機端末９の決済用ICカード用インタフェース（図７において符号６９で示す。）と電気的に接続する。そして、上記決済用ICカード用インタフェース６９を通じて携帯電話機端末９の電源部（図７において符号７１で示す。）からの駆動電力の給電を受けると共に、（決済用ICカード４５の）制御部５９と、携帯電話機端末９の制御部７５との間で行われる情報の授受を媒介する。
【００５４】
記憶部５７は、制御部５９の管理下で、制御部５９によって書き込まれた、例えばIDデータ等の各種データを記憶する。記憶部５７は、また、制御部５９の管理下で、制御部５９からのデータ読み出し要求に応じて、対応するデータを制御部５９に出力する。記憶部５７に記憶されているデータとしては、例えば、上述したように、ユーザが過去に該決済用ICカード４５を用いて行った所謂電子決済に係わる履歴情報や、或いは、上記RFIDタグ１に係る（アクセス）パスワード等が含まれる。
【００５５】
制御部５９は、所定のプロトコルの処理を実行する。制御部５９は、通信制御部５３から出力される（RFID用R/W３からの）変調信号が表すコマンド、データ等を記憶部５７に書き込む。制御部５９は、また、記憶部５７に記憶されているデータ等を読み出すと共に、該読み出したデータ等をRFID用R/W３へ送信すべく、通信制御部５３に出力する。制御部５９は、上述したように、通信制御部５３や、記憶部５７をその管理下に置くことにより、決済用ICカード４５の内部状態を管理する。なお、決済用ICカード４５の内部状態の管理には、状態管理フラグを用いた論理的な管理方法での、記憶部５７の書換え可否等のロック状態の管理が含まれる。
【００５６】
図７は、図１に記載の情報処理システムに含まれる携帯電話機端末９が備える構成を示す機能ブロック図である。
【００５７】
携帯電話機端末９は、図７に示すように、外部通信アンテナ６１と、操作部６３と、表示部６５と、通信制御部６７と、決済用ICカード用インタフェース６９と、電源部７１と、記憶部７３と、制御部７５と、を備える。外部通信アンテナ６１は、該携帯電話機端末９に対し、特定のキャリア（即ち、通信サービスを提供する企業のこと。電気通信事業者ともいう。以下同じ）によって設定された所定の（無線）通信回線を通じて通信制御部６７から出力される変調波（電波）を、送信する。外部通信アンテナ６１は、上記所定の（無線）通信回線を通じて無線送信される電波を受信し、通信制御部６７へ出力する。
【００５８】
通信制御部６７は、音声入／出力部（図示しない）、及び所定の信号処理系統（図示しない）等を通じて入力される電気信号で所定の搬送波を変調し、該変調波を、外部通信アンテナ６１を通じて無線送信する。通信制御部６７は、外部通信アンテナ６１を通じて受信した、無線送信された変調波を復調し、該復調により得られた電気信号を、上述した所定の信号処理系統（図示しない）を通じて音声入／出力部（図示しない）に出力する。
【００５９】
通信制御部６７は、制御部７５の制御下で、通信ネットワーク（即ち、キャリアにより設定された所定の（無線）通信回線）を通じてキャリア側から無線送信される電波を、外部通信アンテナ６１を通じて受信する。そして、該受信した電波を復調することによって得た諸々のディジタルデータを、制御部７５を通じて表示部６５に可視画像の態様で表示出力する。
【００６０】
操作部６３には、各種の操作キー（図示しない）が配置されている。ユーザ等がこれら各種の操作キー（図示しない）を操作することにより、該操作に対応した電気信号が、ユーザからの指令信号として、制御部７５に入力される。
【００６１】
表示部６５は、その表示動作が、制御部７５の制御下に置かれる。表示部６５に表示出力される情報としては、例えば、（携帯電話機端末９）自身の電話番号情報、キャリアを含む複数のキャリア等によって構築される携帯電話機システムを通じて通話を行う相手方電話機端末（携帯電話機端末であると、固定型の電話機端末であるとを問わない。）の電話番号情報等が挙げられる。表示部６５に表示出力される情報としては、上記に加えて、ユーザ等により操作部６３を通じて携帯電話機端末９に入力された各種の指令情報（操作情報）も挙げられる。更には、ユーザ等が、過去に決済用ICカード４５を用いて各種商取引等に係わる所謂電子決済を行った履歴の一覧や、決済用ICカード４５を介して与えられる、上記RFIDタグ１に係る（アクセス）パスワード等も表示される。
【００６２】
電源部７１は、携帯電話機端末９が商用電源に接続されることにより、商用電源からの給電により得られた電力を蓄積し、該蓄積電力を、安定化された直流電力として携帯電話機端末９の各部に供給する。電源部７１は、決済用ICカード４５が携帯電話機端末９に挿入されることにより、決済用ICカード用インタフェース６９が決済用ICカード４５の携帯電話機用インタフェース５５に接続されると、決済用ICカード用インタフェース６９、及び携帯電話機端末用インタフェース５５を介して、決済用ICカード４５の電源部５１に、駆動電力を供給する。
【００６３】
記憶部７３には、例えば、制御部７５が上記各部の駆動を制御するためのプログラム（制御用プログラム）や、ユーザ等が操作部６３の各種キー（図示しない）を操作することにより携帯電話機端末９に入力される諸々のデータ等を格納する。記憶部７３には、決済用ICカード４５側から送信されるデータも格納される。決済用ICカード４５側から送信されるデータとしては、例えば、上述したRFIDタグ１に係る（アクセス）パスワードが挙げられる。該データは、図６に示した決済用ICカード４５が携帯電話機端末９に挿入され、決済用ICカード用インタフェース６９が決済用ICカード４５の携帯電話機端末用インタフェース５５に接続されることにより、携帯電話機端末用インタフェース５５、決済用ICカード用インタフェース６９、及び制御部７５を介して記憶部７３に格納される。
【００６４】
記憶部７３は、制御部７５から出力されるデータ読出要求を受けると、格納しているデータ中から該データ読出要求に対応するデータを、制御部７５に出力する。記憶部７３は、制御部７５からデータ書込指令が出力されると、該データ書込指令に対応するデータを読み込んで所定の記憶領域に格納する。
【００６５】
制御部７５は、記憶部７３に格納されている制御用プログラムに従って、上述した携帯電話機端末９の各部の駆動を制御する。制御部７５は、決済用ICカード４５が携帯電話機端末９に挿入されることで、該制御部７５からのデータ送信要求に決済用ICカード４５の制御部５９が応じたことにより、携帯電話機端末用インタフェース５５、及び決済用ICカード用インタフェース６９を介して決済用ICカード４５側から送信されるデータ、例えば、上記（アクセス）パスワードを受信し、記憶部７３に格納する。制御部７５は、決済用ICカード４５が携帯電話機端末９に挿入されることで、決済用ICカード４５の制御部５９からのデータ送信要求を受信すると、該送信要求に応じて、記憶部７３に格納されているデータを、決済用ICカード用インタフェース６９、及び携帯電話機端末用インタフェース５５を介して決済用ICカード４５側に送信する。
【００６６】
図８は、図１に記載の情報処理システムに含まれる決済用R/W７が備える構成を示す機能ブロック図である。
【００６７】
決済用R/W７は、図８に示すように、決済用R/Wアンテナ（以下、「アンテナ」と略記する。）７７と、送／受信部７９と、電源部８１と、通信制御部８３と、決済端末用インタフェース８５と、制御部８７と、を備える。アンテナ７７は、該決済用R/W７と至近距離に位置する決済用ICカード４５のアンテナ４７から送信される電波（例えば、13.56MHzや、UHF帯域の電波）を受信して、該電波を送／受信部７９を通じて通信制御部８３に出力する。アンテナ４７から送信される電波には、例えば、上述したような過去に行われた所謂電子決済の履歴一覧に係わる情報が含まれる。アンテナ７７は、通信制御部８３から送／受信部７９を通じて出力される（13.56MHz や、UHF帯域の）電波を、上記アンテナ４７へと送信する。アンテナ７７から送信される電波には、例えば、上述したRFIDタグ１に係る（アクセス）パスワードが含まれる。
【００６８】
本実施形態では、送／受信部７９は、制御部８７の管理下で、被変調波である、アンテナ７７からの上記（13.56MHz や、UHF帯域の）電波を受けて、通信制御部８３へ出力する。送／受信部７９は、また、制御部８７の管理下で、通信制御部８３から出力される、通信制御部８３において生成された（13.56MHz や、UHF帯域の）電波を受けて、アンテナ７７を通じて決済用ICカード４５へと送信する。
【００６９】
本実施形態では、通信制御部８３は、制御部８７の管理下で、被変調波である、アンテナ７７からの上記（13.56MHz や、UHF帯域の）電波を、送／受信部７９を通じて入力する。そして、上記（13.56MHz や、UHF帯域の）電波を、復調することにより、該電波から変調信号（各種情報を表す信号）を取出し、制御部８７に出力する。通信制御部８３は、また、制御部８７の管理下で、制御部８７から出力される各種情報を表す信号で（13.56MHz や、UHF帯域の）搬送波を変調し、該変調により生成した（13.56MHz や、UHF帯域の）電波を、送／受信部７９、及びアンテナ７７を通じて決済用ICカード４５へと送信する。
【００７０】
電源部８１は、所謂安定化電源としての機能を有する。即ち、電源部８１は、商用電源からの給電により得られた交流電力を整流すると共に、安定化された直流電力として決済用R/W７の各部に供給する。
【００７１】
決済端末用インタフェース８５は、制御部８７の管理下で、制御部８７から出力される各種のデータを、専用通信回線１９を通じて決済端末５に送信すると共に、決済端末５から専用通信回線１９を通じて送信される各種のデータを受信し、制御部８７へ出力する。
【００７２】
制御部８７は、内蔵される記憶部（図示しない）に格納されている制御用プログラムに従って、上述した決済用R/W７の各部の駆動を制御する。制御部８７は、携帯電話機端末９に決済用ICカード４５が挿入されることで、決済用ICカード４５側から無線送信される各種のデータ（例えば、過去に行われた所謂電子決済の履歴一覧等）を、アンテナ７７、送／受信部７９、及び通信制御部８３を通じて入力する。そして、該各種のデータを、上記記憶部（図示しない）に格納する。制御部８７は、また、専用通信回線１９、決済端末５、及び通信ネットワーク１３を通じてパスワード管理サーバ１１から送信される上記RFIDタグ１に係る（アクセス）パスワードをも、上記記憶部（図示しない）に記憶する。制御部８７は、決済用ICカード４５の制御部５９からのデータ送信要求を入力すると、該送信要求に対応するデータ（例えば、上記RFIDタグ１に係る（アクセス）パスワード）を、上記記憶部（図示しない）から読み出す。そして、該データを、通信制御部８３、送／受信部７９、及びアンテナ７７を通じて上記決済用ICカード４５へ無線送信する。
【００７３】
図９は、図１に記載の情報処理システムに含まれる決済端末５が備える構成を示す機能ブロック図である。
【００７４】
決済端末５は、図９に示すように、操作部８９と、表示部９１と、レシート出力部９３と、決済用R/W用インタフェース９５と、電源部９７と、記憶部９９と、制御部１０１と、を備える。決済端末５は、上記に加えて、更に、RFID用R/W用インタフェース（図示しない）、及びパスワード管理サーバ用インタフェース（図示しない）をも備える。操作部８９には、各種の操作キー（図示しない）が配置されている。例えば、決済端末５のオペレータ等が、これら各種の操作キー（図示しない）を操作することにより、該操作に対応した電気信号が、上記オペレータからの指令信号として、制御部１０１に入力される。
【００７５】
表示部９１は、その表示動作が、制御部１０１の制御下に置かれる。表示部９１に表示出力される情報としては、例えば、決済端末用インタフェース８５、専用通信回線１９、決済用R/W用インタフェース９５、及び制御部１０１を通じて決済用R/W７の制御部８７から送信されるデータが挙げられる。また、パスワード管理サーバ用インタフェース（図示しない）、及び通信ネットワーク１３を通じてパスワード管理サーバ１１から送信される、上記RFIDタグ１に係る（アクセス）パスワードや、操作部８９を通じて決済端末５に入力されるオペレータからの指令情報等も挙げられる。なお、オペレータからの上記指令情報は、制御部１０１において可視画像化された後、制御部１０１から表示部９１に表示出力される。
【００７６】
レシート出力部９３は、制御部１０１の管理下で、ユーザが現金決済にてRFIDタグ１が貼付されている商品（個品）１５を購入した場合の決済情報を、ハードコピー（即ち、レシート）として出力する。上記レシートには、上記RFIDタグ１に係る（アクセス）パスワードも印刷される。（アクセス）パスワードは、例えば、テキストデータ、又は２次元バーコード、又はURL等でレシートに印刷される。
【００７７】
決済用R/W用インタフェース９５は、制御部１０１の管理下で、制御部１０１から出力される各種のデータ（例えば、上記RFIDタグ１に係る（アクセス）パスワード）を、専用通信回線１９を通じて決済用R/W７に送信する。これと共に、決済用R/W用インタフェース９５は、決済用R/W７から専用通信回線１９を通じて送信される各種のデータ（例えば、決済用ICカード４５に格納されている過去に行われた所謂電子決済の履歴一覧等）を受信し、制御部１０１へ出力する。
【００７８】
電源部９７は、所謂安定化電源としての機能を有する。即ち、電源部９７は、商用電源からの給電により得られた交流電力を整流すると共に、安定化された直流電力として決済端末５の各部に供給する。
【００７９】
記憶部９９には、例えば、制御部１０１が上記各部の駆動を制御するためのプログラム（制御用プログラム）や、オペレータ等が操作部８９の各種キー（図示しない）を操作することにより決済端末５に入力される諸々のデータ等を格納する。記憶部９９には、決済用R/W７側から送信されるデータ（例えば、決済用ICカード４５に格納されている過去に行われた所謂電子決済の履歴一覧等）も格納される。該データは、（決済用R/W７の）決済端末用インタフェース８５、専用通信回線１９、決済用R/W用インタフェース９５、及び制御部１０１を介して記憶部９９に格納される。
【００８０】
記憶部９９は、制御部１０１から出力されるデータ読出要求を受けると、格納しているデータ中から該データ読出要求に対応するデータを、制御部１０１に出力する。記憶部９９は、制御部１０１からデータ書込指令（例えば、パスワード管理サーバ用インタフェース（図示しない）、及び通信ネットワーク１３を通じてパスワード管理サーバ１１から送信される上記（アクセス）パスワードの書込指令）が出力されると、該データ書込指令に対応するデータを読み込んで所定の記憶領域に格納する。
【００８１】
制御部１０１は、記憶部９９に格納されている制御用プログラムに従って、上述した決済端末５の各部の駆動を制御すると共に、所定の演算処理動作を実行する。制御部１０１は、RFID用R/W用インタフェース（図示しない）、専用通信回線１７、及びRFID用R/W３の決済端末用インタフェース４１を通じてRFID用R/Wの制御部４３に対し、商品コード（RFIDデータ）取得要求を出力する。そして、該取得要求に応じて決済端末用インタフェース４１、専用通信回線１７、及びRFID用R/W用インタフェース（図示しない）を通じて制御部４３から送信される商品コード（RFIDデータ）を読み込む。
【００８２】
制御部１０１は、決済用R/W用インタフェース９５、専用通信回線１９、及び決済端末用インタフェース４１を通じて決済用R/W７の制御部８７に対し、携帯電話機端末９に設定されている固有のID情報の送信要求を出力する。該固有のID情報は、携帯電話機端末９から決済用ICカード４５を通じて決済用R/W７の制御部８７に内蔵される記憶部（図示しない）に格納されている。上記送信要求に対し、決済端末用インタフェース４１、専用通信回線１９、及び決済用R/W用インタフェース９５を通じて制御部８７から上記固有のID情報が送信されてくると、制御部１０１は、上記固有のID情報を読み込んで、記憶部９９に格納する。
【００８３】
制御部１０１は、パスワード管理サーバ用インタフェース（図示しない）、及び通信ネットワーク１３を通じてパスワード管理サーバ１１に対し、上記商品コード（RFIDコード）、及び上記固有のID情報を、パスワード取得要求と共に送信する。上記パスワード取得要求等が、パスワード管理サーバ１１に受信されたことで、上記商品コード（RFIDコード）、及び上記固有のID情報に対応するパスワードが、通信ネットワーク１３、及びパスワード管理サーバ用インタフェース（図示しない）を通じて送信されてくると、制御部１０１は、該パスワードを読み込んで、記憶部９９に格納する。
【００８４】
制御部１０１は、上述したRFIDタグ１が貼付された商品（個品）１５を、ユーザが所謂電子決済にて購入した場合には、決済用R/W用インタフェース９５、専用通信回線１９、決済用R/W７を通じて上記取得したパスワードを、決済用ICカード４５へ無線送信する。決済用ICカード４５へ無線送信されたパスワードは、ユーザ等の必要に応じて決済用ICカード４５から携帯電話機端末９へ転送され、携帯電話機端末９の記憶部７３へ格納される。制御部１０１は、上述したRFIDタグ１が貼付された商品（個品）１５を、ユーザが現金決済にて購入した場合には、レシート出力部９３を制御することにより、パスワード管理サーバ１１から取得した上記パスワードを、レシート出力部９３より排出されるレシート（図示しない）に印刷した状態で出力する。なお、制御部１０１による、ユーザが所謂電子決済、又は、現金決済の何れを選択したかの判断は、操作部８９を介して入力されるオペレータからの通知に基づく。
【００８５】
図１０は、図１に記載の情報処理システムに含まれるRFID用R/W３と、RFIDタグ１との間で行われる情報通信の態様を示した説明図である。
【００８６】
図１０に示すように、RFID用R/W３は、該RFID用R/W本体に対し、所謂外付けの状態で取付けられているアンテナ（RFID用R/Wアンテナ）３３を介して（UHF帯域の）電波をRFIDタグ１へと送信する。該（UHF帯域の）電波には、例えば、RFIDタグ１に予め格納されているID情報の送信要求が含まれている。RFIDタグ１は、上記（UHF帯域の）電波を受信することに起因する電磁誘導による起電力を駆動電力として起動し、RFID用R/W３からの上記送信要求に応じて、RFIDタグ１の記憶部（図２において、符号２９で示した）に格納されているID情報等をRFID用R/W３へと送信する。
【００８７】
図１１は、図１に記載の情報処理システムに含まれる決済用ICカード４５と、決済用R/W７との間で行われる情報通信の態様を示した説明図である。
【００８８】
図１１から明らかなように、決済用ICカード４５は、携帯電話機端末９に挿入された状態で、決済用R/W７との間で情報の授受を行う。即ち、決済用ICカード４５は、携帯電話機端末９に挿入された状態で、決済用R/W７との間（通常、30cm〜3m程度の至近距離）で無線通信を行うことにより、決済用R/W７が、専用通信回線１９、決済端末５、及び通信ネットワーク１３を通じてパスワード管理サーバ１１から取得した上記（アクセス）パスワードを受信する。
【００８９】
図１２は、RFID用R/W３と決済端末５との間、及び決済端末５と決済用ICカード４５との間で行われる情報通信の手順を示すシーケンス図である。
【００９０】
図１２において、まず、決済端末５が専用通信回線１７を通じてRFID用R/W３に対し、該RFID用R/W３がRFIDタグ１から読み込んだ商品コード、即ち、IDの取得要求を送信すると（ステップS１２１）、該取得要求を受信したRFID用R/W３から専用通信回線１７を通じてRFID用R/W３に、上記商品コードが送信される（ステップS１２２）。上記商品コードを受信すると、決済端末５は、通信ネットワーク１３を通じてパスワード管理サーバ１１に対し、上記商品コードと共に上記RFIDタグ１に係る（アクセス）パスワードの取得要求を送信する。そして、パスワード管理サーバ１１から通信ネットワーク１３を通じて上記（アクセス）パスワードが送信されてくると、決済端末５は、上記（アクセス）パスワードを、自身の記憶部９９に格納する（ステップS１２３）。
【００９１】
次に、ユーザが、決済用ICカード４５を挿入した携帯電話機端末９を携行した状態で、決済用R/W７との無線通信が可能な距離範囲に進入することにより、決済用ICカード４５が決済用R/W７を介した決済端末５からの決済開始要求を受信すると（ステップS１２４）、決済用ICカード４５は、決済を開始する旨の応答を発する（ステップS１２５）。これにより、ユーザが購入した、上記RFIDタグ１が貼付されている個品（商品）１５の、所謂電子決済による購入代金の決済処理が実行される（ステップS１２６）。
【００９２】
上述した一連の決済処理が終了したと判断したことにより、決済端末５が決済処理の終了を決済用R/W７を通じて決済用ICカード４５に通知すると（ステップS１２７）、該通知を受信した決済用ICカード４５は、決済用R/W７を通じて決済端末５に、上記通知を受信した旨、及び上記通知により一連の決済処理を終了させる旨を通知する（ステップS１２８）。そして、決済用R/W７を介して決済端末５から、上記RFIDタグ１に係る（アクセス）パスワードが送信されてくると、決済用ICカード４５は、該（アクセス）パスワードを受信して、自身の記憶部５７に格納すると共に（ステップS１２９）、決済用R/W７を通じて決済端末5に対し、該（アクセス）パスワードを受信した旨を通知する（ステップS１３０）。
【００９３】
図１３は、RFID用R/W３と決済端末５との間で行われる情報通信の手順、及び決済端末５がユーザとの間で行う決済処理の手順を示すシーケンス図である。
【００９４】
以下に説明する処理手順において、ステップS１４１乃至ステップS１４３で夫々示した処理動作は、図１２において、ステップS１２１乃至ステップS１２３で夫々示した処理動作と同様である。即ち、図１３において、まず、決済端末５が専用通信回線１７を通じてRFID用R/W３に対し、該RFID用R/W３がRFIDタグ１から読み込んだ商品コード、即ち、IDの取得要求を送信すると（ステップS１４１）、該取得要求を受信したRFID用R/W３から専用通信回線１７を通じてRFID用R/W３に、上記商品コードが送信される（ステップS１４２）。上記商品コードを受信すると、決済端末５は、通信ネットワーク１３を通じてパスワード管理サーバ１１に対し、上記商品コードと共に上記RFIDタグ１に係る（アクセス）パスワードの取得要求を送信する。そして、パスワード管理サーバ１１から通信ネットワーク１３を通じて上記（アクセス）パスワードが送信されてくると、決済端末５は、上記（アクセス）パスワードを、自身の記憶部９９に格納する（ステップS１４３）。
【００９５】
次に、決済端末５は、ユーザに対し、該ユーザが購入した個品（商品）１５の購入代金の金額を、表示部９１に表示することにより該ユーザに報知する（ステップS１４４）。
表示部９１に表示された金額を見て、ユーザが上記個品（商品）１５の購入代金の決済を、現金決済にて行うと（現金で支払いを済ませると）（ステップS１４５）、決済端末５は、レシート出力部９３から上記個品（商品）１５に貼付されているRFIDタグ１に係る（アクセス）パスワードを印刷したレシートを、該ユーザに対して発行する（ステップS１４６）。
【００９６】
図１４は、RFID用R/W３と決済端末５との間で行われる情報通信の手順を示すシーケンス図である。
【００９７】
以下に説明する処理手順において、ステップS１５１乃至ステップS１５３で夫々示した処理動作は、図１２において、ステップS１２１乃至ステップS１２３で夫々示した処理動作、及び図１３において、ステップS１４１乃至ステップS１４３で夫々示した処理動作と同様である。即ち、図１４において、まず、決済端末５が専用通信回線１７を通じてRFID用R/W３に対し、該RFID用R/W３がRFIDタグ１から読み込んだ商品コード、即ち、IDの取得要求を送信すると（ステップS１５１）、該取得要求を受信したRFID用R/W３から専用通信回線１７を通じてRFID用R/W３に、上記商品コードが送信される（ステップS１５２）。上記商品コードを受信すると、決済端末５は、通信ネットワーク１３を通じてパスワード管理サーバ１１に対し、上記商品コードと共に上記RFIDタグ１に係る（アクセス）パスワードの取得要求を送信する。そして、パスワード管理サーバ１１から通信ネットワーク１３を通じて上記（アクセス）パスワードが送信されてくると、決済端末５は、上記（アクセス）パスワードを、自身の記憶部９９に格納する（ステップS１５３）。
【００９８】
次に、決済端末５が、専用通信回線１７を通じてRFID用R/W３に対し、記憶部９９に格納している（アクセス）パスワードと共に（アクセス）パスワードクリアの要求を送信する。この要求は、上述したRESERVED、即ち、予め読み込み不可にするロックが掛けられている上記RFIDタグ１に係る（アクセス）パスワードを全て消去するための要求である（ステップS１５４）。上記要求を受信すると、RFID用R/W３は、上記（アクセス）パスワードを上記RFIDタグ１から全て消去することを了解した旨の返答を、専用通信回線１７を通じて決済端末５へ送信する（ステップS１５５）。これと共に、RFID用R/W３は、RFIDタグ１の記憶部２９に、決済端末５から送信された上記（アクセス）パスワードを用いて、RESERVED情報として格納されている上記（アクセス）パスワードを、全て消去するための処理を実行する。
【００９９】
これにより、上記RFIDタグ１が貼付された商品（個品）１５を購入したユーザは、上記RFIDタグ１に対し、所望の（アクセス）パスワードを自由に設定することができる。
【０１００】
以上、本発明の好適な実施形態を説明したが、これは本発明の説明のための例示であって、本発明の範囲をこの実施形態にのみ限定する趣旨ではない。本発明は、他の種々の形態でも実施することが可能である。例えば、上述した一実施形態では、パスワード管理サーバ１１が、予め個々の商品のIDコードに対応付けて（アクセス）パスワードを保持しておき、決済端末５から特定の商品のIDコードと共に、（アクセス）パスワードの送信要求があったときに、保持している多数の（アクセス）パスワードの中から該当する（アクセス）パスワードを検索して決済端末５へ送信するようにしたが、決済端末５から上記送信要求があったときに、該送信要求に応じて（アクセス）パスワードを生成し、決済端末５へ送信するようにしてもよい。
【０１０１】
また、ユーザが購入した商品（個品）１５のRFIDタグ１に係る（アクセス）パスワードを、第三者に漏洩することなく安全確実に上記ユ−ザに知らせるための方法として、ユーザが所謂電子決済に使用した決済用ICカード４５の識別IDや、携帯電話機端末９の固有ID等を用いて暗号化してから、上記ユーザに提供する手法も想到され得る。その場合、ユーザが上記（アクセス）パスワードを解読するには、上述した識別IDや、固有ID等が必要になる。
【図面の簡単な説明】
【０１０２】
【図１】本発明の一実施形態に係る情報処理システムの全体構成を示す説明図。
【図２】図１に記載した情報処理システムに含まれるRFIDタグが備える内部構成を示す機能ブロック図。
【図３】図２に記載したRFIDタグの記憶部が有する記憶領域の構成、及び各々の記憶領域に記憶される情報の一例を示す説明図。
【図４】図３に記載したUSER情報に含まれる商品情報の一例を示す説明図。
【図５】図１に記載した情報処理システムに含まれるRFID用R/Wが備える内部構成を示す機能ブロック図。
【図６】主として図１に記載した情報処理システムに含まれる携帯電話機端末に挿入されることにより用いられる決済用ICカードの内部構成を示す機能ブロック図。
【図７】図１に記載した情報処理システムに含まれる携帯電話機端末が備える構成を示す機能ブロック図。
【図８】図１に記載した情報処理システムに含まれる決済用R/Wが備える構成を示す機能ブロック図。
【図９】図１に記載した情報処理システムに含まれる決済端末が備える構成を示す機能ブロック図。
【図１０】図１に記載した情報処理システムに含まれるRFID用R/Wと、RFIDタグとの間で行われる情報通信の態様を示した説明図。
【図１１】図１に記載した情報処理システムに含まれる決済用ICカードと、決済用R/Wとの間で行われる情報通信の態様を示した説明図。
【図１２】RFID用R/Wと決済端末との間、及び決済端末と決済用ICカードとの間で行われる情報通信の手順を示すシーケンス図。
【図１３】RFID用R/Wと決済端末との間で行われる情報通信の手順、及び決済端末がユーザとの間で行う決済処理の手順を示すシーケンス図。
【図１４】RFID用R/Wと決済端末との間で行われる情報通信の手順を示すシーケンス図。
【符号の説明】
【０１０３】
１  RFIDタグ
３  RFID用リ−ダ／ライタ（RFID用R/W）
５  決済端末
７  決済用リーダ／ライタ（決済用R/W）
９  携帯電話機端末
１１  パスワード管理サーバ
１３  通信ネットワーク（インターネット）
１５  個品（製品）
１７、１９  専用通信回線
２１，３３、４７、６１、７７  アンテナ
２３、４９  整流部
２５、３７、５１、７１、８１、９７  電源部
２７、３９、５３、６７、８３  通信制御部
２９、５７、７３，９９  記憶部
３１、４３、５９、７５、８７、１０１  制御部
３５、７９  送／受信部
４１、８５  決済端末用インタフェース
５５  携帯電話機端末用インタフェース
６３、８９  操作部
６５、９１  表示部
６９  決済用ＩＣカード用インタフェース
９３  レシート出力部
９５  決済用R/W用インタフェース
【図１】
2009157803.tif 000003
【図２】
2009157803.tif 000004
【図３】
2009157803.tif 000005
【図４】
2009157803.tif 000006
【図５】
2009157803.tif 000007
【図６】
2009157803.tif 000008
【図７】
2009157803.tif 000009
【図８】
2009157803.tif 000010
【図９】
2009157803.tif 000011
【図１０】
2009157803.tif 000012
【図１１】
2009157803.tif 000013
【図１２】
2009157803.tif 000014
【図１３】
2009157803.tif 000015
【図１４】
2009157803.tif 000016